(57)【要約】【目的】アンテナ利得を十分に確保しつつ広い受信範囲をカバーすることができるアンテナ素子配置構造及び電波受信処理装置を提供する。【構成】アンテナ４は、支持部材１と５つのアンテナ素子２…とから成る。アンテナ素子２としては、いわゆるパッチアンテナ（平面アンテナ）を用いている。前記支持部材１は直方体形状を有し、支持部材１の背向する二側面にそれぞれ一つのアンテナ素子２が配置され、上面に一つのアンテナ素子２が配置され、下面に二つのアンテナ素子２・２が配置されている。そして、各アンテナ素子２の指向性範囲における中心軸が略同一平面内に存在し、前記中心軸同士の成す角度が略７２度に設定されている。【選択図】    図１
2004336580.tif 000002
【特許請求の範囲】
【請求項１】
５つのアンテナ素子を有して成るアンテナ素子配置構造であって、各アンテナ素子の指向性範囲における中心軸が略同一平面内に存在し、前記中心軸同士の成す角度が略７２度に設定されていることを特徴とするアンテナ素子配置構造。
【請求項２】
請求項１に記載のアンテナ素子配置構造において、支持部材の背向する二側面にそれぞれ一つのアンテナ素子が配置され、上面又は下面の一方に一つのアンテナ素子が配置され、上面又は下面の他方に二つのアンテナ素子が配置されていることを特徴とするアンテナ素子配置構造。
【請求項３】
電波を受信し復調処理を行い、映像信号、音声信号、及びデータのうちの少なくとも一つを生成する電波受信処理装置において、装置筐体内に請求項１又は請求項２に記載のアンテナ素子配置構造を有するアンテナが設けられたことを特徴とする電波受信処理装置。
【請求項４】
請求項３に記載の電波受信処理装置において、装置筐体は偏平な直方体形状を有し、前記アンテナはその指向性が装置筐体の背向する二側面に直交し且つ筐体内回路配置領域を横切らないように設けられたことを特徴とする電波受信処理装置。
【請求項５】
請求項３又は請求項４に記載の電波受信処理装置において、第１の装置筐体と第２の装置筐体とが可動に連結され、第１の装置筐体と第２の装置筐体のいずれかに前記アンテナが配置されていることを特徴とする電波受信処理装置。
【請求項６】
請求項５に記載の電波受信処理装置において、前記可動のための回動軸を有し、前記アンテナの指向性は前記回動軸に平行な方向に設定されていることを特徴とする電波受信処理装置。
【発明の詳細な説明】
【０００１】
【産業上の利用分野】
この発明は、無線ＬＡＮなどを利用して映像信号を送受信する無線映像送受信システムに利用される電波受信処理装置及びアンテナ素子配置構造に関する。
【０００２】
【従来の技術】
図５に示すように、家屋内で無線ＬＡＮなどを利用してディジタル符号映像信号を送信する無線映像送受信システムが知られている。ディジタル映像の無線送受信システムでは、受信機や送信機の持ち運びなどによる送信距離変化や周囲ノイズの発生状況などに起因して無線送受信環境が変化する。
【０００３】
また、ノイズ環境下での安定した電波受信を実現するために、アンテナ素子を複数個配備することが考えられている（特許文献１参照）。例えば、図３に示すように、長方形状の基板５０の上面に５つのアンテナ素子５２を一方向に配置した構造、或いは、図４に示すように、正方形状の基板５１の４つの側面と上面とに５つのアンテナ素子５２を配置した構造が考えられる。
【０００４】
【特許文献１】
特開２００２−３３００９０号公報
【０００５】
【発明が解決しようとする課題】
しかしながら、上記図３に示した配置構造では、全体的な指向性範囲は基板５０の上面方向に限られることになり、受信装置の向きによっては良好に電波を受信できないことが生じる。また、上記図４に示した配置構造では、基板５１の側面方向の略全周と基板５１の上面方向をカバーすることができるが、前記４側面に配置したアンテナ素子５２には略９０°の受信範囲をカバーすることが求められ、また、基板５１の上面に配置したアンテナ素子５２には略１８０°の受信範囲をカバーすることが求められることになり、このような広い範囲のカバーを要求するとアンテナ利得が十分に得られないといった不具合を招来する。
【０００６】
この発明は、上記の事情に鑑み、アンテナ利得を十分に確保しつつ広い受信範囲をカバーすることができるアンテナ素子配置構造及び電波受信処理装置を提供することを目的とする。
【０００７】
【課題を解決するための手段】
この発明のアンテナ素子配置構造は、上記の課題を解決するために、５つのアンテナ素子を有して成るアンテナ素子配置構造であって、各アンテナ素子の指向性範囲における中心軸が略同一平面内に存在し、前記中心軸同士の成す角度が略７２度に設定されていることを特徴とする。
【０００８】
上記の構成であれば、５つのアンテナ素子の全体によって広い受信範囲をカバーすることができると共に、各アンテナ素子が担うべき受信範囲は略７２度の範囲となるので各アンテナ素子のアンテナ利得を高くすることができる。
【０００９】
支持部材の背向する二側面にそれぞれ一つのアンテナ素子が配置され、上面又は下面の一方に一つのアンテナ素子が配置され、上面又は下面の他方に二つのアンテナ素子が配置されていてもよい。
【００１０】
また、この発明の電波受信処理装置は、電波を受信し復調処理を行い、映像信号、音声信号、及びデータのうちの少なくとも一つを生成する電波受信処理装置において、装置筐体内に上述したいずれかのアンテナ素子配置構造を有するアンテナが設けられたことを特徴とする。かかる構成において、装置筐体は偏平な直方体形状を有し、前記アンテナはその指向性が装置筐体の背向する二側面に直交し且つ筐体内回路配置領域を横切らないように設けられていてもよい。
【００１１】
また、上記構成の電波受信処理装置において、第１の装置筐体と第２の装置筐体とが可動に連結され、第１の装置筐体と第２の装置筐体のいずれかに前記アンテナが配置されていてもよい。また、前記可動のための回動軸を有し、前記アンテナの指向性は前記回動軸に平行な方向に設定されていてもよい。
【００１２】
【発明の実施の形態】
以下、この発明の実施形態を図１及び図２に基づいて説明する。図１はアンテナ素子配置構造を示した斜視図であり、図２は電波受信処理装置を示した斜視図である。
【００１３】
図１に示すように、アンテナ４は、支持部材（基板或いは支持筐体）１と５つのアンテナ素子２…とから成る。支持部材１には、各アンテナ素子２…を電気的に接続するためのマイクロストリップライン（図示せず）を形成しておいてもよいが、各アンテナ素子２…にケーブル（フィードライン）を電気的に接続し、このケーブルを高周波処理部に接続することとしてもよい。アンテナ素子２としては、いわゆるパッチアンテナ（平面アンテナ）を用いている。パッチアンテナは、所定誘電率の薄基板の両面に金属箔を形成して成るものであり、一方側の金属箔は、前記所定誘電率との関係で受信周波数に対応した大きさ（幅，長さ）に形成される。パッチアンテナの指向性範囲における中心軸は、通常は金属箔面に垂直な方向に存在するが、金属箔形状（方形状箔の角部切り取り等）等によって、金属箔面垂直方向に対して傾いた向きに指向性範囲における中心軸を設定することもできる。指向性範囲における中心軸は指向性が最も高い方向となるのが望ましいが、これに限るものではなく、また、当該方向を中心に指向性パターンが対称となるのが望ましい。
【００１４】
前記支持部材１は直方体形状を有し、支持部材１の背向する二側面にそれぞれ一つのアンテナ素子２が配置され、上面に一つのアンテナ素子２が配置され、下面に二つのアンテナ素子２・２が配置されている。そして、各アンテナ素子２の指向性範囲における中心軸が略同一平面内に存在し、前記中心軸同士の成す角度が略７２度に設定されている。なお、前述のごとく、金属箔面垂直方向に対して傾いた向きに指向性範囲における中心軸を設定することで直方体形状の支持部材１に配置した５つのアンテナ素子２…において前記中心軸の成す角度を略７２度に設定する他、前記支持部材１を直方体形状とせずに、各アンテナ素子２の装着面を傾斜させ、金属箔面垂直方向に指向性範囲における中心軸を有するアンテナ素子を用いることとしてもよい。
【００１５】
図２に示す電波受信処理装置３は、例えば、家屋内に配置されたホームサーバなどから無線で送信される情報を受信する。ホームサーバは、例えば、テレビジョンセットが受信した放送の映像信号を入力してディジタル映像データを生成し、この映像データを符号化する符号化装置を備えている。生成された符号信号はは無線送信部に出力される。無線送信部は、誤り訂正符号付加回路、変調回路、及び送信アンテナを備える。
【００１６】
電波受信処理装置３は、図１に示したアンテナ素子配置構造を有するアンテナ４、復調回路、誤り訂正回路、復号化回路、映像信号処理回路、映像表示パネルなどを備えて成る。また、電波受信処理装置３は、偏平な第１筐体３ａと第２筐体３ｂとから成り、ヒンジ機構によって互いに回動可能に設けられている。第１筐体３ａの表面側には前記映像表示パネルが設けられる。映像表示パネルの向きは、図中上側が下となるようにしている。また、前記第２筐体３ｂ内に前記アンテナ４が配置される。
【００１７】
図２（ａ）では、第２筐体３ｂが第１筐体３ａに対して面一となる状態（第２筐体３ｂを寝かせた状態）を示している。この状態では、各アンテナ素子２の指向性範囲における中心軸が存在する面は、ヒンジ機構の回動軸に平行で且つ第１筐体３ａの表面（映像表示パネル面）に垂直な方向に存在しており、第１筐体３ａ内の電子回路部を横切らない。
【００１８】
図２（ｂ）では、第２筐体３ｂが第１筐体３ａに対して起こされた（９０度回動された）状態を示している。この状態では、各アンテナ素子２の指向性範囲における中心軸が存在する面は、ヒンジ機構の回動軸に平行で且つ第１筐体３ａの表面（映像表示パネル面）に対しても平行となる。
【００１９】
上記実施例では、アンテナ４を第２筐体３ｂに設け、第１筐体３ａの姿勢を変えることなくアンテナ指向性を変化させ得るようにしたが、回動筐体を有しない構成とし、図２（ａ）に示したのと同様なアンテナ指向性を持つようにアンテナ４を配置することとしてもよいものである。また、支持部材１に５つのアンテナ素子２…を配置したが、これに限るものではなく、電波受信処理装置３の筐体内壁面に５つのアンテナ素子２…を貼り付けることとしてもよいものである。また、ヒンジ機構に限らず、フレキシブル部材にて第２筐体３ｂを支持することでも第２筐体３ｂの可動を実現することができる。
【００２０】
【発明の効果】
以上説明したように、この発明によれば、アンテナ利得を十分に確保しつつ広い受信範囲をカバーすることができるという効果を奏する。
【図面の簡単な説明】
【図１】この発明の実施形態のアンテナ素子配置構造を示した斜視図である。
【図２】この発明の実施形態の電波受信処理装置を示した斜視図である。
【図３】従来のアンテナ素子配置構造を示した斜視図である。
【図４】従来の電波受信処理装置を示した斜視図である。
【図５】無線ＬＡＮの使用の様子を示した説明図である。
【符号の説明】
１    支持部材
２    アンテナ素子
３    電波受信処理装置
４    アンテナ
【図１】
2004336580.tif 000003
【図２】
2004336580.tif 000004
【図３】
2004336580.tif 000005
【図４】
2004336580.tif 000006
【図５】
2004336580.tif 000007